(57)【要約】【課題】良好な受信感度を有するチューナ受信部を実現する。【解決手段】チューナ部１０７、１１１は、地上デジタルテレビ放送信号が一方の入力に供給される混合器１２３、１３３と、これら混合器１２３、１３３の他方の入力にそれぞれ供給される発振器１２７、１３７と、発振器１２７、１３７をそれぞれ制御するＰＬＬ回路１２９、１３９と、これらＰＬＬ回路１２９、１３９にともに基準信号を供給する基準発振器１１５とを備え、チューナ部１１１との距離よりもチューナ部１０７との距離を大きくして基準発振器１１５を配置し、基準発振器１１５の発振周波数は地上デジタルテレビ放送信号のチャンネル間隔の整数倍とし、発振器１２７を受信ｃｈよりΔｆだけ低い発振周波数とし、発振器１３７を前記受信ｃｈよりΔｆだけ高い発振周波数とする。【選択図】図１
2009290854.tif 000002
【特許請求の範囲】
【請求項１】
地上デジタルテレビ放送信号の１セグメントを第１、第２のチューナ部によりダイバシティ受信できるチューナ受信部であって、前記第１、第２のチューナ部は、前記地上デジタルテレビ放送信号が一方の入力にそれぞれ供給される第１、第２の混合器と、これら第１、第２の混合器の他方の入力にそれぞれ供給される第１、第２の発振器と、これら第１、第２の混合器からの出力信号がそれぞれ出力される第１、第２の出力端子と、前記第１、第２の発振器をそれぞれ制御する第１、第２のＰＬＬ回路と、これら第１、第２のＰＬＬ回路にともに基準信号を供給する基準発振器を備え、前記基準発振器の発振周波数は前記地上デジタルテレビ放送チャンネル間隔の周波数の整数倍とし、前記第１の発振器を受信チャンネルよりΔｆだけ低い発振周波数とし、前記第２の発振器を前記受信チャンネルよりΔｆだけ高い発振周波数とし、前記第１のチューナ部からの距離よりも前記第２のチューナ部からの距離を大きくして前記基準発振器を配置することにより、前記基準発振器の高調波信号に起因する妨害を防止できるチューナ受信部。
【請求項２】
第１、第２の混合器は、イメージリジェクションミキサとした請求項１に記載のチューナ受信部。
【請求項３】
第１、第２の混合器は、ダイレクトコンバージョンミキサとした請求項１に記載のチューナ受信部。
【請求項４】
基準発振器からの基準信号を分周するとともにこの分周された信号を復調部に供給する分周器を設け、前記分周器の分周比を整数倍とし、前記分周信号の周波数は、地上デジタルテレビ放送チャンネル間隔の周波数の整数倍とする請求項１に記載のチューナ受信部。
【請求項５】
基板の一方の面に対して、第１、第２のチューナ部を装着し、前記第１のチューナ部からの距離よりも前記第２のチューナ部からの距離を大きくして基準発振器を配置した請求項１に記載のチューナ受信部。
【請求項６】
基板の一方の面に第１、第２のチューナ部を装着し、前記基板の他方の面には前記第１のチューナ部からの距離よりも前記第２のチューナ部からの距離を大きくして基準発振器を配置した請求項１に記載のチューナ受信部。
【請求項７】
少なくとも、第２のチューナ部と基準発振器との間にグランドパターンが設けられた請求項６に記載のチューナ受信部。
【請求項８】
第１、第２のチューナ部の一方を動作させてシングル受信する場合において、前記第１、第２のチューナ部のうち動作させるチューナ部の発振器を受信チャンネルよりΔｆだけ低い発振周波数とする請求項１に記載のチューナ受信部。
【請求項９】
第１、第２の受信チャンネルを第１、第２のチューナ部によりそれぞれ受信する場合において、第１のチューナ部に設けられた第１の発振器は第１の受信チャンネルよりΔｆだけ低い発振周波数とし、第２のチューナ部に設けられた第２の発振器は第２の受信チャンネルよりΔｆだけ高い発振周波数とする請求項１に記載のチューナ受信部。
【請求項１０】
基準発振器からの基準信号を分周する分周器を、第１のチューナ部よりも前記第２のチューナ部からの距離を大きくして前記分周器を配置した請求項１に記載のチューナ受信部。
【請求項１１】
基準発振器あるいは基準発振器からの基準信号を分周する分周器は、チューナ受信部を覆う金属ケースの外側に配置される請求項１に記載のチューナ受信部。
【請求項１２】
第１、第２のチューナ部と同一構成とされた第３、第４のチューナ部を新たに設け、基準発振器からの基準信号は前記第１、第２、第３、第４のチューナ部にそれぞれ設けられた第１、第２、第３、第４のＰＬＬ回路にそれぞれ供給され、前記基準発振器に対して前記第１のチューナ部が近接するように前記第１、第２、第３、第４のチューナ部の順に配置し、前記第１、第３のチューナ部にそれぞれ設けられた第１、第３の発振器の発振周波数は受信チャンネルよりΔｆだけ低い周波数とし、前記第２、第４のチューナ部にそれぞれ設けられた第２、第４の発振器の発振周波数は前記受信チャンネルよりΔｆだけ高い発振周波数とすることにより、前記基準発振器の高調波信号によるスプリアス信号の発生を防止する請求項１に記載のチューナ受信部。
【請求項１３】
基板の一方の面には、基準発振器と、第１、第３のチューナ部を設け、前記基板の他方の面に第２、第４のチューナ部を設けた請求項１２に記載のチューナ受信部。
【請求項１４】
２台のチューナ部を動作させてダイバシティ受信する場合には、２台の内の１台のチューナ部は第４のチューナ部とし、この第４のチューナ部に設けられた第４の発振器は受信チャンネルよりΔｆだけ高い発振周波数とする請求項１２、あるいは請求項１３に記載のチューナ受信部。
【請求項１５】
請求項１、請求項１２あるいは請求項１３に記載のチューナ部と、前記チューナ部にそれぞれ設けられたＰＬＬ回路に対して接続される基準発振器と、これらチューナ部の出力が接続される復調部と、前記チューナ部および前記復調部を制御する制御部とからなる高周波受信装置。
【発明の詳細な説明】
【技術分野】
【０００１】
本発明は、地上デジタルテレビ放送信号を受信するチューナ受信部とこれを用いた高周波受信装置に関するものである。
【背景技術】
【０００２】
以下、従来の地上デジタルテレビ放送信号の１セグメントをダイバシティ受信できる高周波受信装置について図１４を用いて説明する。図１４において、高周波受信装置１は、チューナ受信部２と、復調部３と、これらチューナ受信部２および復調部３を制御する制御部４とから構成されている。
【０００３】
チューナ受信部２には、アンテナ６、７がそれぞれ入力されるチューナ部９、１０と、これらチューナ部９、１０からの信号が出力される出力端子２ａ、２ｂと、基準発振器１２が設けられている。
【０００４】
このチューナ部９には入力から出力に向かって順に高周波増幅器１１、混合器１３、フィルタ１５が接続されている。この混合器１３には発振器１７が供給され、この発振器１７をＰＬＬ制御するＰＬＬ回路１９が接続されている。
【０００５】
同様に、チューナ部１０には入力から出力に向かって順に高周波増幅器２１、混合器２３、フィルタ２５が接続されている。この混合器２３には発振器２７が供給され、この発振器２７をＰＬＬ制御するＰＬＬ回路２９が接続されている。
【０００６】
このＰＬＬ回路１９、２９には、基準発振器１２からの出力信号が供給されている。
【０００７】
チューナ部９、１０からの出力信号は、復調部３に供給されている。この復調部３およびチューナ受信部２は、制御部４からの制御信号により制御されている。
【０００８】
このように構成された高周波受信装置１について、その動作を説明する。アンテナ６、７から入力される地上デジタルテレビ放送信号は、チューナ部９、１０にそれぞれ入力される。このチューナ部９、１０では、高周波増幅器１１、２１によりそれぞれ増幅され、さらに混合器１３、２３の一方の入力にそれぞれ供給される。この混合器１３、２３の他方の入力には同一周波数とした発振器１７、２７がそれぞれ接続されている。
【０００９】
これにより、混合器１３、２３からは、中間周波信号がそれぞれ出力され、さらにフィルタ１５、２５により妨害信号の抑圧された中間周波信号がそれぞれ出力される。この中間周波信号は、１セグメント受信時に例えば中心周波数０．５７１ＭＨｚ、０．４３ＭＨｚの信号帯域幅としている。
【００１０】
これら中間周波信号は、復調部３に入力され、出力端子２ａ、２ｂよりＴＳ（トランスポートストリーム）信号がそれぞれ出力される。
【００１１】
なお、この出願の発明に関連する先行技術文献情報としては、例えば、特許文献１が知られている。
【特許文献１】特開２００７−２２１２１２号公報
【発明の開示】
【発明が解決しようとする課題】
【００１２】
このような従来のチューナ受信部において、混合器１３、２３の他方の入力にそれぞれ供給される発振器１７、２７の発振周波数はほぼ同一としているが、僅かな周波数の違いが発生した。
【００１３】
これら発振器１７、２７からのそれぞれの発振信号は、混合器１３、２３の両方に流入し、これによる妨害信号が混合器１３、２３から出力される。この妨害信号は、ほぼ同一の発振周波数を有する発振信号により発生するので、中間周波数に非常に低い周波数となる。このため、フィルタ１５、２５では除去することが困難である。これにより、弱電界における受信感度が劣化した。
【００１４】
また、基準発振器１２からは、基本の発振信号とともに、高調波信号が出力されている。例えば、ＵＨＦ受信時において、混合器１３、２３には、地上デジタルテレビ放送信号とともに基準発振器１２から出力される高調波信号が入力される。この２つの信号により、中間周波信号に近接した妨害信号が発生する。これにより、弱電界における受信感度が劣化した。
【００１５】
そこで本発明は、このような問題を解決したもので、弱電界入力レベルにおいても良好な受信感度を有するチューナ受信部を実現することを目的としたものである。
【課題を解決するための手段】
【００１６】
この目的を達成するために本発明のチューナ受信部において、基準発振器の発振周波数は地上デジタルテレビ放送チャンネル間隔の周波数の整数倍とし、第１の発振器を受信チャンネルよりΔｆだけ低い発振周波数とし、第２の発振器を前記受信チャンネルよりΔｆだけ高い発振周波数とし、第１のチューナ部からの距離よりも第２のチューナ部からの距離を大きくして前記基準発振器を配置する。
【００１７】
これにより、基準発振器の高調波信号に起因するスプリアス信号による妨害を防止できる。
【発明の効果】
【００１８】
以上のように、本発明のチューナ受信部では、基準発振器の発振周波数は地上デジタルテレビ放送チャンネル間隔の周波数の整数倍とし、第１の発振器を受信チャンネルよりΔｆだけ低い発振周波数とし、第２の発振器を前記受信チャンネルよりΔｆだけ高い発振周波数とし、第１のチューナ部からの距離よりも第２のチューナ部からの距離を大きくして前記基準発振器を配置する。
【００１９】
これにより、第１、第２の発振器から出力される発振信号の間の干渉による妨害信号を無くすことができる。さらに、基準発振器の高調波信号に起因するスプリアス信号による妨害を防止できる。
【００２０】
従って、弱電界入力信号レベルにおいても受信感度の優れたチューナ受信部を提供することができる。
【発明を実施するための最良の形態】
【００２１】
（実施の形態１）
図１は、本発明の実施の形態１における地上デジタルテレビ放送信号を受信する高周波受信装置のブロック図である。なお、この高周波受信装置１０１は、例えば１セグメントを受信できる場合を以下説明する。
【００２２】
この高周波受信装置１０１は、チューナ受信部１０２と、復調部１０３と、制御部１０４から構成されている。
【００２３】
チューナ受信部１０２は、アンテナ１０５が接続されるチューナ部１０７と、このチューナ部１０７の出力が接続される出力端子１０８と、アンテナ１０９が接続されるチューナ部１１１と、このチューナ部１１１の出力が接続される出力端子１１３と、チューナ部１０７およびチューナ部１１１に基準信号を供給する基準発振器１１５と、この基準発振器１１５からの出力信号を分周する分周器１１７と、この分周器１１７からの分周信号が出力される出力端子１１９とから構成されている。
【００２４】
チューナ部１０７は、アンテナ１０５からの高周波信号が入力端子１０７ａを介して供給される高周波増幅器１２１と、この高周波増幅器１２１の出力が一方の入力にそれぞれ接続される混合器１２３ａ、１２３ｂと、この混合器１２３ａ、１２３ｂの出力がそれぞれ接続される移相器１２５と、この移相器１２５の出力が接続されるＢＰＦ（バンドパスフィルタ）１２６と、このＢＰＦ１２６の出力が接続される出力端子１０７ｂとが設けられている。
【００２５】
また、発振器１２７の出力は、位相をシフトする移相器１２８を介して混合器１２３ａ、１２３ｂの他方の入力にそれぞれ接続されている。さらに、発振器１２７には、発振周波数を制御するＰＬＬ回路１２９が接続されている。
【００２６】
これら混合器１２３ａ、１２３ｂ、移相器１２５、移相器１２８、発振器１２７により、イメージリジェクションミキサを構成している。
【００２７】
同様に、チューナ部１１１は、アンテナ１０９からの高周波信号が入力端子１１１ａを介して供給される高周波増幅器１３１と、この高周波増幅器１３１の出力が一方の入力にそれぞれ接続される混合器１３３ａ、１３３ｂと、この混合器１３３ａ、１３３ｂの出力がそれぞれ接続される移相器１３５と、この移相器１３５の出力が接続されるＢＰＦ１３６と、このＢＰＦ１３６の出力が接続される出力端子１１１ｂとが設けられている。
【００２８】
また、発振器１３７の出力は、位相をシフトする移相器１３８を介して混合器１３３ａ、１３３ｂの他方の入力にそれぞれ接続されている。さらに、発振器１３７には、発振周波数を制御するＰＬＬ回路１３９が接続されている。
【００２９】
これら混合器１３３ａ、１３３ｂ、移相器１３５、移相器１３８、発振器１３７により、イメージリジェクションミキサを構成している。
【００３０】
このイメージリジェクションミキサでは、中間周波信号を低い周波数とできるので、ＡＤコンバータのサンプリング周波数を低くでき、低消費電力化が可能となる。
【００３１】
さらに、ＰＬＬ回路１２９、１３９には、基準発振器１１５の発振信号がともに入力されている。
【００３２】
また、出力端子１０７ｂ、１１１ｂの出力は、出力端子１０８、１１３をそれぞれ介して復調部１０３に入力されている。これら復調部１０３、チューナ部１０７およびチューナ部１１１には、制御するための制御部１０４が接続されている。
【００３３】
以上のように構成された高周波受信装置１０１について、その動作を以下説明する。なお、ＵＨＦ帯は１３セグメントから構成されており、この１３セグメントの中心に１セグメントが存在するので、発振器１２７、１３７の発振周波数は、受信ｃｈの中心周波数を基本としている。
【００３４】
アンテナ１０５、１０９から入力された地上デジタルテレビ放送信号は、チューナ部１０７、１１１にそれぞれ供給される。これらチューナ部１０７、１１１の両チューナ部を用いてダイバシティ受信が可能となり、一方のチューナ部を用いてシングル受信が可能となる。
【００３５】
このチューナ部１０７では、高周波増幅器１２１により増幅され、混合器１２３ａ、１２３ｂの一方の入力に供給される。この混合器１２３ａ、１２３ｂの他方の入力には、
互いに９０度位相の異なる発振信号が供給される。
【００３６】
これにより、混合器１２３ａ、１２３ｂのそれぞれの出力は９０度位相をシフトする移相器１２５に入力され、イメージ妨害信号が除去される。さらに、ＢＰＦ１２６により、妨害信号が抑圧されて出力端子１０７ｂから出力される。これら混合器１２３ａ、１２３ｂと同様に、混合器１３３ａ、１３３ｂについてもイメージ妨害信号が除去される。
【００３７】
これら混合器１２３ａ、１２３ｂ、１３３ａ、１３３ｂから出力される中間周波信号は、低消費電力化のため、例えば０．５７１ＭＨｚと低い周波数としている。
【００３８】
ここで、発振器１３７の発振周波数は、受信チャンネル（以下、受信ｃｈ）の中心周波数より例えば０．５７１ＭＨｚ高い周波数としている。これに対して、発振器１２７の発振周波数は、受信ｃｈの中心周波数より０．５７１ＭＨｚ低い周波数としている。
【００３９】
このように、発振器１２７、１３７の発振周波数を異なる周波数とすることにより、発振器１２７、１３７の間における干渉を回避することができる。例えば、発振器１２７、１３７の発振周波数を同じにした場合には、位相が異なるため位相雑音あるいは同じ周波数同士でのうねりが発生して妨害となってしまう。
【００４０】
また、出力端子１０８、１１３からそれぞれ出力される中間周波信号は、発振器１２７、１３７の発振周波数を受信ｃｈに対して０．５７１ＭＨｚだけ低く、高くそれぞれ設定しているため、お互いに周波数スペクトラムが逆となっている。
【００４１】
このため、これら中間周波数が入力される復調部１０３では、一方の中間周波信号の周波数スペクトラムを反転する機能を備えることが望ましい。
【００４２】
さらに、中間周波信号を０．５７１ＭＨｚと低い周波数と設定しているので、復調部１０３でのＡＤコンバータのサンプリング周波数を低く設定できるので、低消費電力化が可能となる。このサンプリング周波数は、中間周波数の２倍以上の周波数が必要となる。このサンプリング周波数は、３６ＭＨｚの基準発振器からの信号を分周器１１７により例えば２分の１分周することにより作成することができる。
【００４３】
このように、小型化のため基準発振器１１５の発振周波数を高く設定した場合には、ＵＨＦ帯における基準発振器１１５の高調波信号レベルは大きくなる。このため、基準発振器に３６ＭＨｚを用いた基準発振器１１５は、４ＭＨｚの基準発振器に比べて、ＵＨＦ帯の高調波信号が大きい。
【００４４】
この基準発振器１１５からの基本信号、および高調波信号はチューナ部１０７、１１１の入力部に漏洩する。この高調波信号と受信信号が入力される混合器１２３、あるいは１３３では、中間周波信号の帯域内にスプリアス信号が発生し、その結果として妨害が発生する。
【００４５】
この発生するスプリアス信号について、（数１）、（数２）、（数３）を用いて以下説明する。なお、実際に妨害を与えるスプリアス信号は、基準発振器１１５と、発振器１２７、１３７の基本信号あるいは２倍の高調波信号あるいは３倍の高調波信号とが主に妨害に関係する信号となっている。
【００４６】
（数１）は、基準発振器１１５の高調波信号の周波数と、発振器１２７、１３７の基本の発振周波数とが一致して、スプリアス信号が発生するための条件式である。
【００４７】
【数１】
2009290854.tif 000003
【００４８】
（数２）は、基準発振器１１５の高調波信号の周波数と、発振器１２７、１３７の２倍の発振周波数とが一致して、スプリアス信号が発生するための条件式である。
【００４９】
【数２】
2009290854.tif 000004
【００５０】
（数３）は、基準発振器１１５の高調波信号の周波数と、発振器１２７、１３７の３倍の発振周波数とが一致して、スプリアス信号が発生するための条件式である。
【００５１】
【数３】
2009290854.tif 000005
【００５２】
但し、ｎは、基準発振器の高調波の次数であり、１以上の自然数とする。また、ｆｃｈは、受信チャンネルの中心周波数である。さらに、０．５７１ＭＨｚは、中間周波数とする。さらにｍは、受信チャンネルより高いｃｈ数であり、１以上の自然数とする。
【００５３】
これら（数１）、（数２）、（数３）を用いて、それぞれの周波数を以下説明する。
【００５４】
（表１）は、基準発振器１１５の高調波信号の周波数と、発振器１２７、１３７の基本信号の発振周波数と、発生するスプリアス信号の周波数の関係を表している。
【００５５】
【表１】
2009290854.tif 000006
【００５６】
（表１）において、３６ＭＨｚの１４倍の高調波信号である５０４ＭＨｚと、ｃｈ１８を受信する場合の発振器１２７のΔｆだけ低い発振周波数５０２．５７２ＭＨｚとの差により、１．４２８ＭＨｚのスプリアス信号が発生する。
【００５７】
あるいは、３６ＭＨｚの１５倍の高調波信号である５４０ＭＨｚと、ｃｈ２４を受信する場合の発振器１２７のΔｆだけ低い発振周波数５３８．５７２ＭＨｚとの差により、１．４２８ＭＨｚのスプリアス信号が発生する。
【００５８】
また、３６ＭＨｚの１４倍の高調波信号である５０４ＭＨｚと、ｃｈ１８を受信する場合の発振器１３７のΔｆだけ高い発振周波数５０３．７１４ＭＨｚとの差により、０．２８６ＭＨｚのスプリアス信号が発生する。
【００５９】
あるいは、３６ＭＨｚの１５倍の高調波信号である５４０ＭＨｚと、ｃｈ２４を受信する場合の発振器１３７のΔｆだけ高い発振周波数５３９．７１４ＭＨｚとの差により、０．２８６ＭＨｚのスプリアス信号が発生する。
【００６０】
（表２）は、基準発振器１１５の高調波信号の周波数と発振器１２７、１３７の２倍の発振周波数と、発生するスプリアス信号の周波数の関係を表している。
【００６１】
【表２】
2009290854.tif 000007
【００６２】
（表２）において、３６ＭＨｚの２７倍の高調波信号である９７２ＭＨｚと、ｃｈ１５を受信する場合の発振器１２７のΔｆだけ低い発振周波数の２倍である９６９．１４４ＭＨｚとの差により、スプリアス信号２．８５６ＭＨｚが発生する。
【００６３】
あるいは、３６ＭＨｚの２８倍の高調波信号である１００８ＭＨｚと、ｃｈ１８を受信する場合の発振器１２７のΔｆだけ低い発振周波数の２倍である１００５．１４４ＭＨｚとの差により、２．８５６ＭＨｚのスプリアス信号が発生する。
【００６４】
また、３６ＭＨｚの２７倍の高調波信号である９７２ＭＨｚと、ｃｈ１５を受信する場合の発振器１３７のΔｆだけ高い発振周波数の２倍である９７１．４２８ＭＨｚとの差により、０．５７２ＭＨｚのスプリアス信号が発生する。
【００６５】
あるいは、３６ＭＨｚの２８倍の高調波信号である１００８ＭＨｚと、ｃｈ１８を受信する場合の発振器１３７のΔｆだけ高い発振周波数の２倍である１００７．４２８ＭＨｚとの差により、０．５７２ＭＨｚのスプリアス信号が発生する。
【００６６】
（表３）は、基準発振器１１５の高調波信号の周波数と発振器１２７、１３７の３倍の発振周波数と、発生するスプリアス信号の周波数の関係を表している。
【００６７】
【表３】
2009290854.tif 000008
【００６８】
（表３）において、３６ＭＨｚの４０倍の高調波信号である１４４０ＭＨｚと、ｃｈ１４を受信する場合の発振器１２７のΔｆだけ低い発振周波数の３倍である１４３５．７１６ＭＨｚとの差により、スプリアス信号４．２８４ＭＨｚが発生する。
【００６９】
あるいは、３６ＭＨｚの４１倍の高調波信号である１４７６ＭＨｚと、ｃｈ１６を受信する場合の発振器１２７のΔｆだけ低い発振周波数の３倍である１４７１．７１６ＭＨｚとの差により、４．２８４ＭＨｚのスプリアス信号が発生する。
【００７０】
また、３６ＭＨｚの４０倍の高調波信号である１４４０ＭＨｚと、ｃｈ１４を受信する場合の発振器１３７のΔｆだけ高い発振周波数の３倍である１４３９．１４２ＭＨｚとの差により、０．８５８ＭＨｚのスプリアス信号が発生する。
【００７１】
あるいは、３６ＭＨｚの４１倍の高調波信号である１４７６ＭＨｚと、ｃｈ１６を受信する場合の発振器１３７のΔｆだけ高い発振周波数の３倍である１４７５．１４２ＭＨｚとの差により、０．８５８ＭＨｚのスプリアス信号が発生する。
【００７２】
これら（表１）、（表２）、（表３）から明らかなように、発振器１２７のΔｆだけ低い発振周波数の基本、２倍、３倍と、基準発振器１１５の高調波信号とから発生するスプリアス信号は、１．４２８ＭＨｚ、２．８５６ＭＨｚ、４．２８４ＭＨｚである。しかしながら、これらスプリアス信号は、中心周波数０．５７１ＭＨｚ、帯域幅０．４３ＭＨｚの中間周波信号に対して帯域外となるので、妨害信号とならない。
【００７３】
一方、発振器１２７のΔｆだけ低い発振周波数の基本、２倍、３倍と、基準発振器１１５の高調波信号とから発生するスプリアス信号は、０．２８６ＭＨｚ、０．５７２ＭＨｚ、０．８５８ＭＨｚとなる。これらスプリアス信号は、中心周波数０．５７１ＭＨｚ、帯域幅０．４３ＭＨｚの中間周波信号に対して帯域内となるので、受信感度の劣化が発生する。
【００７４】
次に、（表１）、（表２）、（表３）で説明した基準発振器１１５と、発振器１２７、１３７と、スプリアス信号との関係を図２〜図６により以下説明する。
【００７５】
図２は、基準発振器１１５の高調波信号を表している。横軸２０１は周波数、縦軸２０２は、出力レベルを表している。
【００７６】
図２において、信号２０３は３６ＭＨｚの基本信号であり、高調波信号２０５、２０６、２０７、２０８、２０９、２１０、２１１、２１２、２１３、２１４は、基準発振器１１５のそれぞれ１３倍、１４倍、１５倍、２６倍、２７倍、２８倍、３９倍、４０倍、４１倍、４２倍の高調波信号である。
【００７７】
これらの高調波信号は、電源ライン、信号ライン、あるいは直接入力部に飛び込むことになり、主に混合器１２３、１３３によりスプリアス信号として発生し、中間周波信号とともに出力される。
【００７８】
以下に、この混合器１２３、１３３から出力されるスプリアス信号について説明する。
【００７９】
最初に、基準発振器１１５の高調波信号と、発振器１２７、１３７の基本周波数の信号との差により、発生するスプリアス信号について説明する。
【００８０】
図３（ａ）は、（表１）および図２で表した基準発振器１１５の１３倍、１４倍、１５倍の高調波信号２０５、２０６、２０７を表している。
【００８１】
図３（ａ）において、基準発振器１１５の発振周波数は３６ＭＨｚとしているので、高調波信号２０５、２０６、２０７の間隔は３６ＭＨｚとなる。
【００８２】
図３（ｂ）は、ｃｈ１８受信時の発振器１２７、１３７の基本周波数の信号２２１、２２２を表している。
【００８３】
これにより、ｃｈ１８受信時の発振器１２７の低い基本周波数である信号２２１と、基準発振器１１５の１４倍の高調波信号２０６により、１．４２８ＭＨｚのスプリアス信号が発生する。
【００８４】
また、ｃｈ１８受信時の発振器１３７の高い基本周波数の信号２２２と、基準発振器１１５の１４倍の高調波信号２０６により、０．２８６ＭＨｚのスプリアス信号が発生する。
【００８５】
図３（ｃ）は、ｃｈ２４受信時の発振器１２７、１３７の基本周波数の信号２２４、２２５をそれぞれ表している。
【００８６】
図３（ｃ）において、ｃｈ２４受信時の発振器１２７の低い基本周波数である信号２２４と、基準発振器１１５の１５倍の高調波信号２０７により、１．４２８ＭＨｚのスプリアス信号が発生する。
【００８７】
また、ｃｈ２４受信時の発振器１３７の高い基本周波数である信号２２５と、基準発振器１１５の１５倍の高調波信号２０７により、０．５７２ＭＨｚのスプリアス信号が発生する。
【００８８】
ここで、発振器１２７、１３７の発振周波数は、国内のｃｈプランとしてｃｈ間隔が６ＭＨｚに決められているので、６ＭＨｚの倍数で周波数が変化する。また、基準発振器の発振周波数をｃｈ間隔６ＭＨｚの６倍としている。
【００８９】
これより明らかなように、発振器１２７、１３７の２倍の発振周波数の信号が関係するｃｈは、ｃｈ１８、ｃｈ２４、ｃｈ３０、ｃｈ３６、−−−となる。
【００９０】
次に、基準発振器１１５の高調波信号と、発振器１２７、１３７の基本周波数の２倍の信号との差により、発生するスプリアス信号について説明する。
【００９１】
図４（ａ）は、（表２）および図２で表した基準発振器１１５の２６倍、２７倍、２８倍の高調波信号２０８、２０９、２１０を表している。
【００９２】
図４（ａ）において、基準発振器１１５の発振周波数は３６ＭＨｚとしているので、高調波信号２０８、２０９、２１０の間隔は３６ＭＨｚとなる。
【００９３】
図４（ｂ）は、ｃｈ１５受信時の発振器１２７、１３７の２倍の高調波信号２３１、２３２を表している。
【００９４】
図４（ｂ）において、ｃｈ１５受信時の発振器１２７の低い基本周波数の２倍の高調波信号２３１と、基準発振器１１５の２７倍の高調波信号２０９により、２．８５６ＭＨｚのスプリアス信号が発生する。
【００９５】
また、ｃｈ１５受信時の発振器１３７の高い基本周波数の２倍の高調波信号２３２と、基準発振器１１５の２７倍の高調波信号２０９により、０．５７２ＭＨｚのスプリアス信号が発生する。
【００９６】
図４（ｃ）は、ｃｈ１８受信時の発振器１２７、１３７の２倍の高調波信号を表している。
【００９７】
図４（ｃ）において、ｃｈ１８受信時の発振器１２７の低い基本周波数の２倍の高調波信号２４１と、基準発振器１１５の２８倍の高調波信号２４２により、０．５７２ＭＨｚのスプリアス信号が発生する。
【００９８】
また、ｃｈ２４受信時の発振器１３７の高い基本周波数である信号２２５と、基準発振器１１５の１５倍の高調波信号２０７により、０．５７２ＭＨｚのスプリアス信号が発生する。
【００９９】
ここで、発振器１２７、１３７の発振周波数は、国内のｃｈプランとしてｃｈ間隔が６ＭＨｚに決められているので、６ＭＨｚの倍数で周波数が変化する。また、基準発振器の発振周波数をｃｈ間隔６ＭＨｚの６倍としている。
【０１００】
これより明らかなように、発振器１２７、１３７の２倍の発振周波数の信号が関係するｃｈは、ｃｈ１５、ｃｈ１８、ｃｈ２１、ｃｈ２４、−−−となる。
【０１０１】
次に、基準発振器１１５の高調波信号と、発振器１２７、１３７の基本周波数の３倍の信号との差により、発生するスプリアス信号について説明する。
【０１０２】
図５（ａ）は、（表３）および図２で表した基準発振器１１５の３９倍、４０倍、４１倍、４２倍の高調波信号２１１、２１２、２１３、２１４を表している。
【０１０３】
図５（ａ）において、基準発振器１１５の発振周波数は３６ＭＨｚとしているので、高調波信号２１１、２１２、２１３、２１４の間隔は３６ＭＨｚとなる。
【０１０４】
図５（ｂ）は、ｃｈ１４受信時の発振器１２７、１３７の３倍の高調波信号を表している。
【０１０５】
図５（ｂ）において、ｃｈ１４受信時の発振器１２７の低い基本周波数の３倍の高調波信号２５１と、基準発振器１１５の４０倍の高調波信号２１２により、４．２８４ＭＨｚのスプリアス信号が発生する。
【０１０６】
また、ｃｈ１４受信時の発振器１３７の高い基本周波数の３倍の高調波信号２５２と、基準発振器１１５の４０倍の高調波信号２１２により、０．８５８ＭＨｚのスプリアス信号が発生する。
【０１０７】
図５（ｃ）は、ｃｈ１６受信時の発振器１２７、１３７の３倍の高調波信号を表している。
【０１０８】
図５（ｃ）において、ｃｈ１６受信時の発振器１２７の低い基本周波数の３倍の高調波信号２５３と、基準発振器１１５の４１倍の高調波信号２１３により、４．２８４ＭＨｚのスプリアス信号が発生する。
【０１０９】
また、ｃｈ１６受信時の発振器１３７の高い基本周波数の３倍の高調波信号２５４と、基準発振器１１５の４１倍の高調波信号２１３により、０．８５８ＭＨｚのスプリアス信号が発生する。
【０１１０】
図５（ｄ）は、ｃｈ１８受信時の発振器１２７、１３７の３倍の高調波信号を表している。
【０１１１】
図５（ｄ）において、ｃｈ１８受信時の発振器１２７の低い基本周波数の３倍の高調波信号２５６と、基準発振器１１５の４２倍の高調波信号２１４により、４．２８４ＭＨｚのスプリアス信号が発生する。
【０１１２】
また、ｃｈ１８受信時の発振器１３７の高い基本周波数の３倍の高調波信号２５７と、基準発振器１１５の４２倍の高調波信号２１４により、０．８５８ＭＨｚのスプリアス信号が発生する。
【０１１３】
ここで、発振器１２７、１３７の発振周波数は、国内のｃｈプランとしてｃｈ間隔が６ＭＨｚに決められているので、６ＭＨｚの倍数で周波数が変化する。また、基準発振器の発振周波数をｃｈ間隔６ＭＨｚの６倍としている。
【０１１４】
これより明らかなように、発振器１２７、１３７の３倍の発振周波数の信号が関係するｃｈは、ｃｈ１４、ｃｈ１６、ｃｈ１８、ｃｈ２０、−−−となる。
【０１１５】
このように発生したスプリアス信号は、チューナ受信部１０２の出力端子１０８、１１３から出力される。このスプリアス信号について以下説明する。
【０１１６】
図６（ａ）は、発振器１３７から受信ｃｈよりΔｆだけ高い発振周波数の信号が出力されている場合において、チューナ受信部１０２の出力端子１１３から出力される周波数に対する中間周波信号を表している。
【０１１７】
図６（ａ）において、中間周波信号３０４は、０．５７１ＭＨｚの中心周波数３０５、０．４２９ＭＨｚの帯域幅３０７を有している。これにより、中間周波信号３０４の周波数をできるだけ低くし、かつ帯域幅３０７により１セグメント信号の欠落を防止している。
【０１１８】
また、中間周波信号３０４に近接して０．２８６ＭＨｚのスプリアス信号３０９と、０．８５８ＭＨｚのスプリアス信号３１１と、中間周波信号３０４の中心周波数付近に存在する０．５７２ＭＨｚのスプリアス信号３１３が存在している。
【０１１９】
これらのスプリアス信号は、中間周波信号の帯域内あるいは近接して存在しており、フィルタ１２６、１３６により除去できない。従って、妨害信号となって受信感度を劣化させることになる。しかしながら、基準発振器１１５とチューナ部１１１との距離を大きくすることにより除去できる。
【０１２０】
図６（ｂ）は、発振器１２７から受信ｃｈよりΔｆだけ低い発振周波数の信号が出力されている場合において、チューナ受信部１０２の出力端子１０８から出力される中間周波信号を表している。
【０１２１】
図６（ｂ）において、中間周波信号３２４は、中心周波数３０５が０．５７１ＭＨｚであり、帯域幅３０７が０．４２９ＭＨｚである。また、中間周波信号３２４の帯域外には、１．４２８ＭＨｚのスプリアス信号３２６、あるいは２．８５６ＭＨｚのスプリアス信号３２７、あるいは４．２８４ＭＨｚのスプリアス信号３２８が存在している。
【０１２２】
これらのスプリアス信号は、中間周波信号の帯域外に存在しており、フィルタ１２６、１３６により十分に除去できる。従って、妨害信号とならないので、受信感度を劣化させることはない。
【０１２３】
このように、スプリアス信号３０９、３１１、３１３は中間周波信号３０４の帯域内あるいは近接して発生し、一方スプリアス信号３２６、３２７、３２８は中間周波信号３２４の帯域外に発生する。
【０１２４】
これらスプリアス信号３０９、３１１、３１３、３２６、３２７、３２８の周波数の規則性について説明する。すなわち、基準発振器１１５の３６ＭＨｚの間隔を持つ高調波信号に対して、発振器１２７、１３７の発振周波数の基本信号は６ＭＨｚの間隔で配列され、発振器１２７、１３７の発振周波数の２倍の高調波信号は１２ＭＨｚの間隔で配列され、さらに発振器１２７、１３７の発振周波数の３倍の高調波信号は１８ＭＨｚの間隔で配列されている。
【０１２５】
この基準発振器１１５の高調波信号は、３６ＭＨｚのｎ倍（ｎは１から始まる自然数）である。これに対して、受信ｃｈが１ｃｈ変化すると発振器１２７、１３７の発振周波数の基本周波数、２倍の周波数、３倍の周波数は、６ＭＨｚ、１２ＭＨｚ、１８ＭＨｚ変化し、ともに６の倍数の変化となる。
【０１２６】
このため、基準発振器１１５の高調波信号と、発振器１２７、１３７の発振周波数の基本周波数、２倍の周波数、３倍の周波数との周波数間隔は、常に一定となる。例えば、ＵＨＦのｃｈ間隔が７ＭＨｚであれば、基準発振器１１５の発振周波数は、７ＭＨｚの倍数とする。これにより、基準発振器１１５の高調波信号と、発振器１２７、１３７の発振周波数の基本周波数、２倍の周波数、３倍の周波数との周波数間隔は、常に一定とできる。
【０１２７】
このように、スプリアス信号３０９、３１１、３１３は中間周波信号３０４の帯域内あるいは近接して発生する。しかしながら、発振周波数を高い周波数とした発振器１３７を有するチューナ部１１１は基準発振器１１５から距離を離して配置することにより、スプリアス信号の発生を抑えることができる。これは、基準発振器１１５からの高調波信号のチューナ部１１１の混合器１３３ａ、１３３ｂへの飛び込みを低減できるからである。
【０１２８】
一方、発振周波数を低い周波数とした発振器１２７を有するチューナ部１０７では、スプリアス信号が帯域外に発生するので、チューナ部１０７と基準発振器１１５との距離は、チューナ部１１１と基準発振器１１５との距離に比べて小さくてもよい。
【０１２９】
図６（ａ）、（ｂ）において、中間周波信号３０４、３２４の中心周波数３０５は、０．５７１ＭＨｚとなる。この場合、中間周波信号３０４とスプリアス信号３０９、３１１、３１３との周波数配列、中間周波信号３２４とスプリアス信号３２６、３２７、３２８との周波数配列の関係は、受信ｃｈが変わっても同じである。
【０１３０】
以上のように、基準発振器１１５の発振周波数はチャンネル間隔幅の整数倍とし、発振器１２７を受信ｃｈよりΔｆだけ低い発振周波数とし、発振器１３７を受信ｃｈよりΔｆだけ高い発振周波数とし、チューナ部１０７からの距離よりチューナ部１１１との距離を大きくして基準発振器１１５を配置すればよい。
【０１３１】
これにより、基準発振器１１５の高調波信号が起因するスプリアス信号による妨害を除去できる。
【０１３２】
また、これら発振器１２７、１３７の互いの発振周波数は、お互いの干渉を防ぐために、０．５７１の２倍である１．１４２ＭＨｚ離して設定している。これにより、発振器１２７、１３７から出力される発振信号の間の干渉による妨害信号を無くすことができる。
【０１３３】
従って、小型サイズであって受信感度の優れたチューナ受信部１０２を提供することができる。
【０１３４】
なお、発振器１２７の発振周波数は受信ｃｈより例えばΔｆ（例えば、０．５７１ＭＨｚ、あるいは０．４２９ＭＨｚ）だけ離れた発振周波数とすることにより、低い周波数の中間周波信号としている。これにより、ＡＤコンバータのサンプリング周波数を低くでき、低消費電力化が可能となる。
【０１３５】
例えば、Δｆを１ＭＨｚとした場合においても、図６（ｂ）のスプリアス信号３２６は、表１（ａ）から同様に計算することにより１．８５７ＭＨｚとなり、このスプリアス信号を後段のフィルタにより抑圧することができる。
【０１３６】
反対に、Δｆを０．２２ＭＨｚと小さくしたとしても、図６（ｂ）のスプリアス信号３２６は、表１（ａ）から同様に計算することにより１．０７７ＭＨｚとなり、このスプリアス信号を後段のフィルタにより抑圧することができる。
【０１３７】
このように、Δｆは、中間周波信号の中心周波数３０５を帯域幅３０７の半分以上として決定することができる。
【０１３８】
また、分周器１１７は、基準発振器１１５からの基準信号を２分の１分周した１８ＭＨｚを復調部に入力している。この１８ＭＨｚは、ｃｈ間隔６ＭＨｚの２倍としている。このように、分周器１１７から出力される分周された周波数は、ｃｈ間隔６ＭＨｚの整数倍としているので、この分周器１１７から出力される高調波信号によるスプリアス信号は、基準発振器１１５の高調波信号によるスプリアス信号と同じ周波数に配列される。
【０１３９】
つまり、分周器１１７の高調波信号によるスプリアス信号は、基準発振器１１５の高調波信号によるスプリアス信号と同じように混合器１２３ａ、１２３ｂ、１３３ａ、１３３ｂ内で発生することになる。
【０１４０】
従って、分周器１１７は、基準発振器１１５と同様に、チューナ部１０７に近接し、チューナ部１１１から遠ざけて配置することにより、この分周器１１７の高調波信号によるスプリアス信号による妨害を防止することができる。
【０１４１】
さらに、一方のチューナ部を用いたシングル受信時には、チューナ部１０７または１１１のどちらか一方のチューナ部を動作させる。この場合、動作させたチューナ部の発振器は、発振周波数を低い設定として動作させる。これにより、基準発振器１１５の高調波信号による妨害を除去することができる。
【０１４２】
この一方のチューナ部を用いたシングル受信とは、例えばチューナ部１１１を削除し、チューナ部１０７のみを搭載したチューナ受信部１０２ａ（図示せず）での受信状態と同じとなる。この場合、チューナ受信部１０２ａの発振器１２７ａ（図示せず）の発振周波数をΔｆだけ低い周波数として動作させることにより、基準発振器１１５の高調波信号による妨害を除去することができる。
【０１４３】
さらになお、チューナ部１０７、１１１の両方のチューナ部を用いて別々のｃｈを受信時には、基準発振器１１５の発振周波数はチャンネル間隔幅の整数倍とし、発振器１２７を受信ｃｈよりΔｆだけ低い発振周波数とし、発振器１３７を受信ｃｈよりΔｆだけ高い発振周波数とし、チューナ部１０７との距離よりもチューナ部１１１との距離を大きくして基準発振器１１５を配置する。
【０１４４】
これにより、基準発振器１１５と近接して配列されたチューナ部１０７では、基準発振器１１５の高調波信号によるスプリアス信号による妨害を除去できる。これに対して、チューナ部１１１と基準発振器１１５とは離れて配列されているので、基準発振器１１５の高調波信号によるスプリアス信号が発生しない。
【０１４５】
なお、チューナ受信部１０２は、金属ケース（図示せず）で覆われるとともに、基準発振器１１５、分周器１１７は、このチューナ受信部１０２の金属ケース（図示せず）の外側に配置してもよい。この場合には、基準発振器１１５、分周器１１７からの高調波成分が金属ケース（図示せず）内においてチューナ部１０７、１１１の入力部に飛び込むことがない。従って、基準発振器１１５、あるいは分周器１１７の高調波信号がチューナ部１０７、１１１の入力部に飛び込むことによるスプリアス信号が発生することがない。
【０１４６】
また、チューナ受信部１０２と、このチューナ受信部１０２から出力される中間周波信号を復調処理する復調部１０３と、これらチューナ受信部１０２および復調部１０３を制御する制御部１０４により、小型サイズであって受信感度の優れた高周波受信装置１０１の実現が可能となる。
【０１４７】
（実施の形態２）
図７は、本発明の実施の形態２における地上デジタルテレビ放送信号の１セグメントを受信する高周波受信装置のブロック図である。
【０１４８】
実施の形態１の高周波受信装置では、イメージリジェクションミキサとしたチューナ部１０７、１１１を用いているのに対して、実施の形態２では、ダイレクトコンバージョンミキサとしたチューナ部４０７、４１１としている点で異なる。なお、図７で使用した部品について、図１と同じものについては同一の番号を付して説明を簡略化している。
【０１４９】
図７において、高周波受信装置４０１は、チューナ受信部４０２と、復調部４０３と、チューナ受信部４０２と復調部４０３を制御する制御部１０４から構成されている。また、チューナ受信部４０２には、チューナ部４０７、４１１が設けられている。
【０１５０】
チューナ部４０７は、アンテナ１０５からの高周波信号が供給される高周波増幅器１２１と、この高周波増幅器１２１の出力が一方の入力にそれぞれ接続される混合器４２３ａ、４２３ｂと、この混合器４２３ａ、４２３ｂの出力がそれぞれ接続されるフィルタ４２５、４２６と、これらフィルタ４２５、４２６からの出力がそれぞれ接続される出力端子４０７ａ、４０７ｂとが設けられている。
【０１５１】
また、発振器４２７の出力は、位相をシフトする移相器４２８を介して混合器４２３ａ、４２３ｂの他方の入力にそれぞれ接続されている。さらに、発振器４２７には、発振周波数を制御するＰＬＬ回路１２９が接続されている。
【０１５２】
これら混合器４２３ａ、４２３ｂ、移相器４２８、フィルタ４２５、４２６、発振器４２７により、ダイレクトコンバージョンミキサを構成している。
【０１５３】
同様に、チューナ部４１１は、アンテナ１０９からの高周波信号が供給される高周波増幅器１３１と、この高周波増幅器１３１の出力が一方の入力にそれぞれ接続される混合器４３３ａ、４３３ｂと、この混合器４３３ａ、４３３ｂの出力がそれぞれ接続されるフィルタ４３５、４３６と、このフィルタ４３５、４３６の出力がそれぞれ接続される出力端子４１１ａ、４１１ｂとが設けられている。
【０１５４】
また、発振器４３７の出力は、位相をシフトする移相器４３８を介して混合器４３３ａ、４３３ｂの他方の入力にそれぞれ接続されている。さらに、発振器４３７には、発振周波数を制御するＰＬＬ回路１３９が接続されている。
【０１５５】
これら混合器４３３ａ、４３３ｂ、移相器４３８、フィルタ４３５、４３６、発振器４３７により、ダイレクトコンバージョンミキサを構成している。
【０１５６】
このダイレクトコンバージョンミキサでは、イメージリジェクションミキサと同様に中間周波信号を低い周波数とできるので、ＡＤコンバータのサンプリング周波数を低くでき低消費電力化が可能となり、また、イメージ妨害は、デジタルフィルタであるフィルタ４２５、４２６、４３５、４３６により安定して抑圧が可能となる。
【０１５７】
一般的に、ダイレクトコンバージョンミキサでは、発振器４２７、４３７の発振周波数は、受信ｃｈの中心周波数と同じとする。この場合には、混合器４２３ａ、４２３ｂの出力からＩ、Ｑ信号がそれぞれ出力されるが、ＤＣオフセットが問題となる。
【０１５８】
このＤＣオフセットを改善するために、発振器４２７の発振周波数は、受信ｃｈの中心周波数より例えば０．４２９ＭＨｚと１セグメント分だけ低い周波数とする。これにより、Ｉ、Ｑ信号とＤＣオフセット信号を周波数分離できるので、ＤＣオフセット信号による妨害が発生しない。
【０１５９】
一方、発振器４３７の発振周波数は、受信ｃｈの中心周波数より０．４２９ＭＨｚ高い周波数として設定する。このように、発振器４２７、４３７の発振周波数を異なる周波数とすることにより、発振器４２７、４３７の間における干渉を回避することができる。
【０１６０】
このようにして、出力端子４０７ａ、４０７ｂからそれぞれ出力されるＩ、Ｑ信号は、チューナ受信部４０２に設けられた出力端子４０８ａ、４０８ｂからそれぞれ出力される。また、出力端子４１１ａ、４１１ｂからそれぞれ出力されるＩ、Ｑ信号は、チューナ受信部４０２に設けられた出力端子４１３ａ、４１３ｂからそれぞれ出力される。
【０１６１】
図８（ａ）は、受信ｃｈよりΔｆ（０．４２９ＭＨｚ）だけ低い発振周波数の信号が、発振器４２７から出力されている場合において、チューナ部４０７の出力端子４０７ａ、４０７ｂからそれぞれ出力されるＩ信号５０４ａ、Ｑ信号５０４ｂを表している。
【０１６２】
図８（ａ）において、Ｉ信号５０４ａ、Ｑ信号５０４ｂは、０．４２９ＭＨｚの中心周波数５０５と、０．４２９ＭＨｚの帯域幅５０７を有している。これにより、Ｉ信号５０４ａ、Ｑ信号５０４ｂの周波数をできるだけ低くし、かつ帯域幅５０７の１セグメント信号の欠落を防止している。
【０１６３】
また、Ｉ信号５０４ａ、Ｑ信号５０４ｂに近接して０．４２８ＭＨｚのスプリアス信号５０９と、０．８５６ＭＨｚのスプリアス信号５１１と、帯域外に１．２８４ＭＨｚのスプリアス信号５１３が存在している。
【０１６４】
これらのスプリアス信号５０９、５１１は、中間周波信号の帯域内あるいは近接して存在しており、フィルタ４２５、４２６により除去できない。従って、妨害信号となって受信感度を劣化させることになる。しかしながら、基準発振器１１５とチューナ部４１１との距離を大きくすることにより飛び込みを防止できる。
【０１６５】
図８（ｂ）は、受信ｃｈよりΔｆ（０．４２９ＭＨｚ）だけ高い発振周波数の信号が、発振器４３７から出力されている場合において、チューナ部４１１の出力端子４１１ａ、４１１ｂから出力されるＩ信号５２４ａ、Ｑ信号５２４ｂを表している。
【０１６６】
図８（ｂ）において、Ｉ信号５２４ａ、Ｑ信号５２４ｂは、０．４２９ＭＨｚの中心周波数５０５と、０．４２９ＭＨｚの帯域幅５０７を有している。また、Ｉ信号５２４ａ、Ｑ信号５２４ｂの帯域外には、１．４２８ＭＨｚのスプリアス信号５２６、あるいは２．８５６ＭＨｚのスプリアス信号５２７、あるいは４．２８４ＭＨｚのスプリアス信号５２８が存在している。なお、これらのスプリアス信号の周波数は、実施の形態１の（表１）を用いて、同様に算出できる。
【０１６７】
これらのスプリアス信号５２６、５２７、５２８は、中間周波信号の帯域外に存在しており、フィルタ４３５、４３６により十分に除去できる。従って、妨害信号とならないので、受信感度を劣化させることはない。
【０１６８】
以上のように、基準発振器１１５の発振周波数はチャンネル間隔幅の整数倍とし、発振器４２７を受信ｃｈよりΔｆだけ低い発振周波数とし、発振器４３７を受信ｃｈよりΔｆだけ高い発振周波数とし、チューナ部４０７との距離よりもチューナ部４１１との距離を大きくして基準発振器１１５を配置する。
【０１６９】
これにより、発振器４２７、４３７から出力される発振信号の間の干渉による妨害信号を無くすことができる。さらに、基準発振器１１５の高調波信号による妨害を除去できる。従って、小型サイズであって受信感度の優れたチューナ受信部４０２を提供することができる。
【０１７０】
このように、ダイレクトコンバージョンミキサを用いた場合においても、実施の形態１と同様に、同じ効果を得ることができる。
【０１７１】
（実施の形態３）
図９は、本発明の実施の形態３における高周波受信装置６０１の各回路の配置図である。この高周波受信装置６０１は、図１の高周波受信装置１０１あるいは図７の高周波受信装置４０１を用いて基板６０３に配置したものである。
【０１７２】
図９において、高周波受信装置６０１は、チューナ部１０７、１１１、基準発振器１１５、復調部１０３が基板６０３の一方の面に配置されている。
【０１７３】
ここで、チューナ部１０７との距離よりもチューナ部１１１との距離を大きくして基準発振器１１５を配置する。
【０１７４】
これにより、実施の形態１と同様に、基準発振器１１５の高調波信号と、チューナ部１１１に内蔵されている発振器１３７の高調波信号とによる妨害を無くすことができる。
【０１７５】
なお、基準発振器１１５は、チューナ受信部１０２の外側に配置する場合においても、同様である。
【０１７６】
また、チューナ部１０７、１１１の間に金属製のシールド板を設けることにより、基準発振器１１５の高調波信号によるチューナ部１１１でのスプリアス信号の発生を抑えることが可能である。
【０１７７】
（実施の形態４）
図１０は、本発明の実施の形態４における高周波受信装置６５１の各回路の配置図である。実施の形態３では基板６０３の一方の面にチューナ部１０７、１１１、基準発振器１１５を配置しているが、本実施の形態では基板６５３の一方の面６５３ａにチューナ部１０７、１１１を配置し、基板６５３の他方の面６５３ｂに基準発振器１１５を配置している点が異なる。
【０１７８】
なお、実施の形態１の構成と同様の構成を有するものについては、同一符号を付しその説明を簡略化する。
【０１７９】
図１０において、高周波受信装置６５１は、チューナ受信部１０２、復調部１０３が基板６５３の一方の面に配置されている。また、基準発振器１１５は、基板６５３の他方の面に配置されている。この場合に、チューナ部１０７との距離よりもチューナ部１１１との距離を大きくして基準発振器１１５を配置する。
【０１８０】
これにより、基準発振器１１５の高調波信号と、チューナ部１１１に内蔵されている発振器１３７の発振周波数とによるスプリアス信号の妨害を無くすことができる。
【０１８１】
なお、チューナ部１０７と基準発振器１１５の間にグランドパターン６５５を設けることにより、さらに互いの高周波シールドが改善される。
【０１８２】
（実施の形態５）
図１１は、本発明の実施の形態５における高周波受信装置７０１の各回路の配置図である。なお、実施の形態１の構成と同様の構成を有するものについては、同一符号を付しその説明を簡略化する。
【０１８３】
図１１において、高周波受信装置７０１は、チューナ受信部７０２、復調部７０３、基準発振器１１５が基板７１０の一方の面７１０ａに配置されている。また、チューナ受信部７０２は、チューナ部１０７と同じ構成を有するチューナ部７０５〜７０８と基準発振器１１５が設けられている。
【０１８４】
これらチューナ部７０５〜７０８には、発振器７０５ａ〜７０８ａ（いずれも図示せず）がそれぞれ設けられ、これら発振器７０５ａ〜７０８ａ（いずれも図示せず）には、発振周波数を制御するそれぞれのＰＬＬ回路７０５ｂ〜７０８ｂ（いずれも図示せず）が設けられている。さらに、これらＰＬＬ回路７０５ｂ〜７０８ｂ（いずれも図示せず）には、基準発振器１１５が接続されている。
【０１８５】
この基準発振器１１５に対して、チューナ部７０５、７０６、７０７、７０８の順で配置し、チューナ部７０５を最も近づけている。
【０１８６】
例えば、４つのチューナ部７０５〜７０８を用いてダイバシティ受信をする場合には、少なくとも、チューナ部７０５の発振器７０５ａ（図示せず）をΔｆだけ低い発振周波数とし、チューナ部７０６の発振器７０６ａ（図示せず）をΔｆだけ高い発振周波数とする。
【０１８７】
これにより、Δｆだけ低いとした発振器７０５ａ（図示せず）を有するチューナ部７０５を基準発振器１１５に近接して配列することにより、基準発振器１１５の高調波信号による妨害を改善できる。さらに、発振器７０５ａ（図示せず）と発振器７０６ａ（図示せず）の間の干渉を無くすことができる。
【０１８８】
次に、例えば、チューナ部７０５〜７０８のうち２台のチューナを用いてダイバシティ受信をする場合には、基準発振器１１５から最も離れた距離にあるチューナ部７０８を動作させ、残りの１台はチューナ部７０５〜７０７のいずれかを動作させることができる。
【０１８９】
すなわち、チューナ部７０８の発振器７０８ａをΔｆだけ高い発振周波数として用い、チューナ部７０５〜７０７のいずれかの発振器７０５ａ〜７０７ａをΔｆだけ低い発振周波数として用いる。
【０１９０】
このように、Δｆだけ低い発振周波数とした発振器７０５ａを有するチューナ部７０５を基準発振器１１５に近接して配列することにより、基準発振器１１５の高調波信号による妨害を改善できる。
【０１９１】
以上のようにして、基準発振器１１５の高調波信号により発生するスプリアス信号による妨害と、チューナ部７０５〜７０８の発振信号同士の干渉による妨害を無くすことができる。
【０１９２】
なお、基準発振器１１５は、基板７１０の他方の面７１０ｂ（図示せず）に配置しても同様である。
【０１９３】
（実施の形態６）
図１２は、本発明の実施の形態６における高周波受信装置８０１の各回路の配置図であり、図１２（ａ）は上面から見た図、図１２（ｂ）は側面から見た断面図、図１２（ｃ）は下面から見た図をそれぞれ表している。
【０１９４】
実施の形態５の高周波受信装置７０１では、チューナ部７０５、７０６、７０７、７０８を基板７１０の一方の面に配置しているのに対して、本実施の形態の高周波受信装置８０１では、チューナ部７０５、７０６を基板８０３の一方の面８０３ａに配置し、他方の面８０３ｂにチューナ部７０７、７０８を配置している点で異なる。
【０１９５】
なお、図１２で使用した部品について、図１１と同じものについては同一の番号を付して説明を簡略化している。
【０１９６】
図１２において、高周波受信装置８０１は、チューナ受信部８０２と、復調部７０９と、制御部１０４（図示せず）から構成されている。さらに、チューナ受信部８０２は、チューナ部７０５〜７０８と、基準発振器１１５とから構成されている。
【０１９７】
また、基板８０３の一方の面８０３ａにチューナ部７０５、７０６、復調部７０９、基準発振器１１５を配置し、基板８０３の他方の面８０３ｂにチューナ部７０７、７０８を配置している。
【０１９８】
また、基板８０３の一方の面８０３ａには、基準発振器１１５、チューナ部７０５、７０６がこの順に並列に配列されている。基板８０３の他方の面８０３ｂには、チューナ部７０８がチューナ部７０７より基準発振器１１５に対して遠くに配置されている。
【０１９９】
また、チューナ部７０５とチューナ部７０６および基準発振器１１５と、チューナ部７０７とチューナ部７０８との間にはグランドパターン８０５が設けられている。このグランドパターン８０５により、互いに高周波的にシールドすることができる。
【０２００】
例えば、４台のチューナ部７０５〜７０８を用いてダイバシティ受信をする場合には、チューナ部７０５の発振器７０５ａ（図示せず）、およびチューナ部７０７の発振器７０７ａ（図示せず）をΔｆだけ低い発振周波数とし、チューナ部７０６の発振器７０６ａ（図示せず）およびチューナ部７０８（図示せず）の発振器７０８ａをΔｆだけ高い発振周波数としている。
【０２０１】
これにより、Δｆだけ低い発振周波数とした発振器７０５ａを有するチューナ部７０５を基準発振器１１５に近接して配列できるので、基準発振器１１５の高調波信号による妨害を改善できる。また、発振器７０５ａと７０６ａ間の干渉を無くすことができる。
【０２０２】
同様に、Δｆだけ低い発振周波数とした発振器７０７ａを有するチューナ部７０７を基準発振器１１５に近接して配列できるので、基準発振器１１５の高調波信号による妨害を改善できる。また、発振器７０７ａと７０８ａ間の干渉を無くすことができる。
【０２０３】
以上のようにして、基準発振器１１５の高調波信号により発生するスプリアス信号による妨害と、チューナ部７０５〜７０８の発振信号同士の干渉による妨害を無くすことができる。
【０２０４】
次に、例えば、チューナ部７０５〜７０８のうち２台のチューナを用いてダイバシティ受信をする場合には、基準発振器１１５との間にグランドパターン８０５が設けられていることにより高調波信号による影響を受けにくいチューナ部７０７、７０８を用いて動作させる。
【０２０５】
このチューナ部７０８の発振器７０８ａをΔｆだけ高い発振周波数として用い、チューナ部７０５〜７０７のいずれかの発振器７０５ａ〜７０７ａをΔｆだけ低い発振周波数として用いる。
【０２０６】
このように、Δｆだけ低い発振周波数とした発振器７０５ａを有するチューナ部７０５を基準発振器１１５に近接して配列することにより、基準発振器１１５の高調波信号による妨害を改善できる。
【０２０７】
以上のようにして、基準発振器１１５の高調波信号により発生するスプリアス信号による妨害と、チューナ部７０７、７０８の発振信号同士の干渉による妨害を無くすことができる。
【０２０８】
本実施の形態では、４つのチューナ部を用いてダイバシティ受信する方法について説明したが、６つ以上のチューナ部を用いてダイバシティ受信する場合も同様である。
【０２０９】
（実施の形態７）
図１３は、本発明の実施の形態７における高周波受信装置９０１の各回路の配置図である。なお、実施の形態５の構成と同様の構成を有するものについては、同一符号を付しその説明を簡略化する。
【０２１０】
図１３において、高周波受信装置９０１は、基板９１０の一方の面に配置されたチューナ部７０５、７０７、復調部７０３、基準発振器１１５と、基板９１０の他方の面に配置されたチューナ部７０６、７０８とから構成されている。
【０２１１】
これらチューナ部７０５、７０６、７０７、７０８は、基板９１０を挟んでほぼ平行に配置されている。また、基準発振器１１５との距離は、チューナ部７０５、７０６、７０７、７０８の順で、チューナ部７０５との距離を最も小さく配置している。
【０２１２】
さらに、チューナ部７０５、７０６、７０７、７０８、基準発振器１１５によりチューナ受信部９０２が構成されている。
【０２１３】
例えば、チューナ部７０５〜７０８の４台のチューナを用いてダイバシティ受信をする場合には、チューナ部７０５の発振器７０５ａ（図示せず）、およびチューナ部７０７の発振器７０７ａ（図示せず）をΔｆだけ低い発振周波数とし、チューナ部７０６の発振器７０６ａ（図示せず）およびチューナ部７０８（図示せず）の発振器７９８ａをΔｆだけ高い発振周波数としている。
【０２１４】
これにより、基準発振器１１５に対して、Δｆだけ低い発振周波数とした発振器７０５ａを有するチューナ部７０５を近接して配列することにより、基準発振器１１５の高周波信号による妨害を改善できる。さらに、発振器７０５ａ〜７０８ａ間の干渉を無くすことができる。
【０２１５】
なお、チューナ部７０５〜７０８の４台のチューナを用いてダイバシティ受信をする場合に、基準発振器１１５に最も近接するチューナ部７０５の発振器７０７ａ（図示せず）をΔｆだけ低い発振周波数とし、少なくとも基準発振器１１５の次に近接するチューナ部７０６の発振器７０６ａ（図示せず）およびチューナ部７０８（図示せず）の発振器７０８ａをΔｆだけ高い発振周波数としてもよい。
【０２１６】
次に、例えば、チューナ部７０５〜ｌ７０８の内２台のチューナを用いてダイバシティ受信をする場合には、基準発振器１１５から最も離れた距離にあるチューナ部７０８を動作させ、残りの１台はチューナ部７０５〜「７０７のいずれかを動作させる。
【０２１７】
すなわち、チューナ部７０８の発振器７０８ａをΔｆだけ高い発振周波数として用い、チューナ部７０５〜７０７のいずれかの発振器７０５ａ〜７０７ａをΔｆだけ低い発振周波数として用いる。
【０２１８】
このように、基準発振器１１５に対して、Δｆだけ低い発振周波数とした発振器７０６ａを有するチューナ部７０５を近接して配列することにより、基準発振器１１５の高周波信号による妨害を改善できる。
【０２１９】
以上のようにして、基準発振器１１５の高調波信号により発生するスプリアス信号による妨害と、チューナ部７０５〜７０８の発振信号同士の干渉による妨害を無くすことができる。
【産業上の利用可能性】
【０２２０】
本発明は、ダイバシティ受信時において、基準発振器の高調波信号と発振器の高調波信号とによるスプリアス妨害を改善できるので、小型化サイズとした移動用携帯機等に用いることができる。
【図面の簡単な説明】
【０２２１】
【図１】本発明の実施の形態１における高周波受信装置のブロック図
【図２】同、基準発振器の高調波信号を示す図
【図３】（ａ）同、基準発振器の１３倍の高調波信号を示す図、（ｂ）同、基準発振器の１４倍の高調波信号を示す図、（ｃ）同、基準発振器の１５倍の高調波信号を示す図
【図４】（ａ）同、基準発振器の２６倍の高調波信号を示す図、（ｂ）同、基準発振器の２７倍の高調波信号を示す図、（ｃ）同、基準発振器の２８倍の高調波信号を示す図
【図５】（ａ）同、基準発振器の３９倍の高調波信号を示す図、（ｂ）同、基準発振器の４０倍の高調波信号を示す図、（ｃ）同、基準発振器の４１倍の高調波信号を示す図、（ｄ）同、基準発振器の４２倍の高調波信号を示す図
【図６】（ａ）同、チューナ受信部から出力される中間周波信号を示す図、（ｂ）同、チューナ受信部から出力される中間周波信号を示す図
【図７】本発明の実施の形態２における高周波受信装置のブロック図
【図８】（ａ）同、チューナ受信部から出力されるＩ、Ｑ信号を示す図、（ｂ）同、チューナ受信部から出力されるＩ、Ｑ信号を示す図
【図９】本発明の実施の形態３における高周波受信装置の各回路の配置図
【図１０】（ａ）（ｂ）は共に、本発明の実施の形態４における高周波受信装置の各回路の配置図
【図１１】本発明の実施の形態５における高周波受信装置の各回路の配置図
【図１２】（ａ）（ｂ）（ｃ）は共に、本発明の実施の形態６における高周波受信装置の各回路の配置図
【図１３】（ａ）（ｂ）は共に、本発明の実施の形態７における高周波受信装置の各回路の配置図
【図１４】従来例における高周波受信装置のブロック図
【符号の説明】
【０２２２】
１０２  チューナ受信部
１０７  チューナ部
１０８  出力端子
１１１  チューナ部
１１３  出力端子
１１５  基準発振器
１２３  混合器
１２７  発振器
１２９  ＰＬＬ回路
１３３  混合器
１３７  発振器
１３９  ＰＬＬ回路
【図１】
2009290854.tif 000009
【図２】
2009290854.tif 000010
【図３】
2009290854.tif 000011
【図４】
2009290854.tif 000012
【図５】
2009290854.tif 000013
【図６】
2009290854.tif 000014
【図７】
2009290854.tif 000015
【図８】
2009290854.tif 000016
【図９】
2009290854.tif 000017
【図１１】
2009290854.tif 000018
【図１４】
2009290854.tif 000019
【図１０】
2009290854.tif 000020
【図１２】
2009290854.tif 000021
【図１３】
2009290854.tif 000022